(57)【要約】【課題】更なる薄型化や軽量化を促進し必要な強度を確保した面状照明装置を提供する。【解決手段】金属フレーム２０は、側壁部２０ａと床部２０ｂとによって、樹脂フレーム１８の、一つの側辺部１８ａの外側面と、外側面に続く導光板１２の主面１２ａ、１２ｂと平行な面との、少なくとも二面を覆うもので、金属フレーム２０に起因する厚みや重量の増加を、可能な限り抑える。樹脂フレーム１８及び金属フレーム２０の各々に、互いに嵌合して相対移動を規制する凹凸形状からなる係止部３０が構成されており、係止部３０には、樹脂フレーム１８の一つの側辺部１８ａと交差する側辺部１８ｂ、１８ｃの延長方向の相対移動を規制する第１係止部と、樹脂フレーム１８の厚み方向の相対移動を規制する第２係止部とが含まれることで、樹脂フレーム１８と金属フレーム２０との固定がなされる。【選択図】図１
2015018700.tif 000002
【特許請求の範囲】
【請求項１】
導光板と、該導光板の外側に配置されるハウジングフレームとを含む面状照明装置であって、
前記ハウジングフレームは、前記導光板を囲む枠状の樹脂フレームと、該樹脂フレームの外側に配置される金属フレームとを有し、
前記金属フレームには、前記樹脂フレームの、一つの側辺部の外側面を覆う側壁部と、一つの側辺部の底側端部から前記導光板が配置される内側領域に至る範囲を覆う床部とが含まれ、
前記樹脂フレーム及び前記金属フレームの各々に、互いに嵌合して相対移動を規制する凹凸形状からなる係止部が構成されており、
該係止部には、前記樹脂フレームの一つの側辺部と交差する側辺部の延長方向の相対移動を規制する第１係止部と、前記樹脂フレームの厚み方向の相対移動を規制する第２係止部とが含まれることを特徴とする面状照明装置。
【請求項２】
前記樹脂フレームの一つの側辺部の長手方向両端近傍領域に、前記係止部が、前記第１係止部に対し前記第２係止部が前記一つの側辺部の長手方向の内側となる位置関係で、配置されていることを特徴とする請求項１記載の面状照明装置。
【請求項３】
前記樹脂フレームの一つの側辺部の長手方向中央領域に、前記係止部が、前記第１係止部を挟むようにして前記第２係止部が位置する態様で、配置されていることを特徴とする請求項１又は２記載の面状照明装置。
【請求項４】
前記第１係止部には、前記金属フレームの前記側壁部と前記床部との境界に沿って、少なくとも前記床部に開口する長穴と、前記樹脂フレームから前記金属フレームの前記床部の厚み方向に突出する凸部とが含まれることを特徴とする請求項１から３のいずれか１項記載の面状照明装置。
【請求項５】
前記第２係止部には、前記金属フレームの前記側壁部と前記床部との境界に沿って、少なくとも前記側壁部に開口する長穴と、前記樹脂フレームから前記金属フレームの前記側壁部の厚み方向に突出する凸部とが含まれることを特徴とする請求項１から４のいずれか１項記載の面状照明装置。
【請求項６】
前記金属フレームの床部は、前記側壁部の、前記樹脂フレームの厚み方向の端部から、前記樹脂フレームの前記内側領域に張り出すように形成されていることを特徴とする請求項１から５のいずれか１項記載の面状照明装置。
【発明の詳細な説明】
【技術分野】
【０００１】
本発明は、液晶表示装置等の照明手段として用いられる面状照明装置に関するものである。
【背景技術】
【０００２】
今日、パーソナルコンピュータや携帯電話等の電子装置の表示デバイスとして、液晶表示装置が一般的に使用されている。液晶は自発光型の表示素子ではないため、例えば透過型の液晶表示装置では、その液晶パネルに対して光を照射する照明手段が必須であり、外光を利用する半透過型の液晶表示装置でも、暗所での使用を可能にするために補助的な照明手段を備えている。このような液晶表示装置の照明手段として、面状照明装置が液晶表示装置と組合せて広く使用されている。面状照明装置は、導光板と導光板の側方に配置された光源とを主要な構成要素とするものであり、薄型化が容易であるという利点を有している。又、近年の白色発光ダイオード（ＬＥＤ）の高性能化に伴い、面状照明装置の更なる小型・薄型化及び低消費電力化を図るため、白色ＬＥＤを光源として使用した面状照明装置が一般的となっている。
【０００３】
ところで、面状照明装置には、導光板と光源とを一体に保持すると共に、面状照明装置自体の剛性を向上させるために、ハウジングフレームを備える構造が広く用いられている。ハウジングフレームは枠状をなしており、導光板や光源を、枠状の内側領域に収納するものである。又、ハウジングフレームを、枠状の樹脂フレームと、該樹脂フレームを格納する箱状の金属フレームとで構成し、金属フレームにより必要な剛性を確保した構造のものも開発されている（例えば、特許文献１、２参照）。
【先行技術文献】
【特許文献】
【０００４】
【特許文献１】特開２００８−２３５１３６号公報
【特許文献２】特開２０１１−１８５８７号公報
【発明の概要】
【発明が解決しようとする課題】
【０００５】
しかしながら、面状照明装置に対する薄型化や軽量化の追及は、携帯型電子装置の表示デバイスへの適用において避けられないものであり、これらの課題を、ハウジングを用いて必要な剛性を確保しつつ解決することが常に求められている。
本発明は、上記課題に鑑みてなされたものであり、その目的とするところは、更なる薄型化や軽量化を促進しつつ、必要な強度を確保した面状照明装置を提供することにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）導光板と、該導光板の外側に配置されるハウジングフレームとを含む面状照明装置であって、前記ハウジングフレームは、前記導光板を囲む枠状の樹脂フレームと、該樹脂フレームの外側に配置される金属フレームとを有し、前記金属フレームには、前記樹脂フレームの、一つの側辺部の外側面を覆う側壁部と、一つの側辺部の底側端部から前記導光板が配置される内側領域に至る範囲を覆う床部とが含まれ、前記樹脂フレーム及び前記金属フレームの各々に、互いに嵌合して相対移動を規制する凹凸形状からなる係止部が構成されており、該係止部には、前記樹脂フレームの一つの側辺部と交差する側辺部の延長方向の相対移動を規制する第１係止部と、前記樹脂フレームの厚み方向の相対移動を規制する第２係止部とが含まれる面状照明装置（請求項１）。
【０００８】
本項に記載の面状照明装置は、ハウジングフレームによって、導光板と光源とを一体に保持すると共に、面状照明装置自体の剛性を向上させるものである。ハウジングフレームは、導光板を囲む枠状の樹脂フレームと、該樹脂フレームの外側に配置される金属フレームとを有し、樹脂フレームによって導光板、光源及びその他の面状照明装置の構成要素を位置決めすると共に、面状照明装置の剛性を確保する。又、金属フレームには、樹脂フレームの、一つの側辺部の外側面を覆う側壁部と、一つの側辺部の底側端部から前記導光板が配置される内側領域に至る範囲を覆う床部とが含まれ、これら側壁部及び床部によって、面状照明装置の更なる剛性の向上を図るものである。
【０００９】
この金属フレームは、側壁部と床部とによって、樹脂フレームの、一つの側辺部の外側面と、該外側面に続く、導光板の主面と平行な面との、少なくとも二面を覆うものであれば良いことから、金属フレームに起因する厚みや重量の増加を、可能な限り抑えるものとなる。そして、樹脂フレームの一つの側辺部と交差する側辺部の延長方向、及び、樹脂フレームの厚み方向といった、交差する２方向について、樹脂フレーム及び金属フレームの相対移動を規制するものである。しかも、樹脂フレーム及び金属フレームの各々に、互いに嵌合して相対移動を規制する凹凸形状からなる係止部が構成されており、係止部には、樹脂フレームの一つの側辺部と交差する側辺部の延長方向の相対移動、即ち、導光板の面方向の相対移動を規制する第１係止部と、樹脂フレームの厚み方向の相対移動を規制する第２係止部とが含まれることで、樹脂フレームと金属フレームとの固定がなされるものである。
なお、樹脂フレームの一つの側辺部としては、導光板の側方に光源としてのＬＥＤが配置される面に係る側辺部であることが、ＬＥＤの位置決めをより確実にするといった観点から望ましい。又、必要に応じて、ＬＥＤが配置される面に係る側辺部と交差する側辺部を含む、二つ以上の側辺部において、係止部が構成されることとしても良い。
【００１０】
（２）上記（１）項において、前記樹脂フレームの一つの側辺部の長手方向両端近傍領域に、前記係止部が配置されている面状照明装置。
本項に記載の面状照明装置は、樹脂フレームの一つの側辺部の長手方向両端近傍領域に、係止部が配置されることで、係止部による、樹脂フレームと金属フレームとの位置決めを効果的にするものである。
【００１１】
（３）上記（２）項において、前記第１係止部に対し前記第２係止部が前記一つの側辺部の長手方向の内側となる位置関係で、配置されている面状照明装置（請求項２）。
本項に記載の面状照明装置は、樹脂フレームと金属フレームとの、樹脂フレームの厚み方向の相対移動を規制する第２規制部を、導光板の面方向の相対移動を規制する第１規制部よりも、樹脂フレームの一つの側辺部の長手方向の内側に配置したことにより、樹脂フレームからの板金フレームの脱落防止効果を、より確実にするものとなる。特に、面状照明装置を液晶パネルに組み付ける作業中における外れを、効果的に防止するものとなる。
【００１２】
（４）上記（１）から（３）項において、前記樹脂フレームの一つの側辺部の長手方向中央領域に、前記係止部が配置されている面状照明装置。
本項に記載の面状照明装置は、樹脂フレームの一つの側辺部の長手方向中央領域に、係止部が配置されることで、係止部による、樹脂フレームと金属フレームとの位置決め効果を得るものである。特に、樹脂フレームの一つの側辺部の長さが長くなるほど、長手方向中央領域における、係止部による、樹脂フレームと金属フレームとの位置決め機能が、有効に発揮されるものである。従って、必要に応じて、樹脂フレームの一つの側辺部の長手方向の丁度中央部に、係止部を設けることとしても良く、必要に応じて、長手方向中央領域の複数箇所に、係止部を設けることとしても良い。
【００１３】
（５）上記（４）項において、前記係止部が、前記第１係止部を挟むようにして前記第２係止部が位置する態様で、配置されている面状照明装置（請求項３）。
本項に記載の面状照明装置は、第１係止部を挟むようにして第２係止部が位置する態様で、配置されていることで、第１係止部の両側に配置された第２規制部により、第１係止部が設置された位置における厚み方向の相対移動が規制される。その結果、面方向の移動を規制する第１規制部を構成する突起が嵌合穴から外れ難くなる。そして、面方向の移動を規制する第１規制部が有効に働き、樹脂フレームから金属フレームが外れることが抑制されることとなる。
【００１４】
（６）上記（１）から（５）項において、前記第１係止部には、前記金属フレームの前記側壁部と前記床部との境界に沿って、少なくとも前記床部に開口する長穴と、前記樹脂フレームから前記金属フレームの前記床部の厚み方向に突出する凸部とが含まれる面状照明装置（請求項４）。
本項に記載の面状照明装置は、第１係止部を構成する凹凸形状に、金属フレームの側壁部と床部との境界に沿って、少なくとも床部に開口する長穴と、樹脂フレームから金属フレームの床部の厚み方向に突出する凸部とが含まれるものである。そして、金属フレームの床部の長穴に対して、樹脂フレームの凸部が床部の厚み方向に突出して嵌合することで、樹脂フレームと金属フレームとの、面方向（脱落方向）の相対移動を規制するものである。
【００１５】
（７）上記（１）から（６）項において、前記第２係止部には、前記金属フレームの前記側壁部と前記床部との境界に沿って、少なくとも前記側壁部に開口する長穴と、前記樹脂フレームから前記金属フレームの前記側壁部の厚み方向に突出する凸部とが含まれる面状照明装置（請求項５）。
本項に記載の面状照明装置は、第２係止部を構成する凹凸形状に、金属フレームの側壁部と床部との境界に沿って、少なくとも側壁部に開口する長穴と、前記樹脂フレームから前記金属フレームの前記側壁部の厚み方向に突出する凸部とが含まれるものである。そして、金属フレームの側壁部の長穴に対して、樹脂フレームの凸部が側壁部の厚み方向に突出して嵌合することで、樹脂フレームと金属フレームとの、厚み方向（脱落方向）の相対移動を規制するものである。
【００１６】
（８）上記（６）（７）項において、前記第１係止部および前記第２係止部の一方又は双方には、前記金属フレームの前記側壁部と前記床部との境界に沿って、少なくとも前記床部に開口する長穴と、前記樹脂フレームから前記金属フレームの前記床部の厚み方向に突出する凸部と、前記金属フレームの前記側壁部と前記床部との境界に沿って、少なくとも前記側壁部に開口する長穴と、前記樹脂フレームから前記金属フレームの前記側壁部の厚み方向に突出する凸部とが含まれる面状照明装置。
本項に記載の面状照明装置は、第１係止部および第２係止部の一方又は双方に、上記（６）（７）項に挙げられた凹凸形状が含まれることで、第１係止部および第２係止部の一方又は双方により、樹脂フレームに対する金属フレームの、面方向及び厚み方向の双方への相対移動を規制するものとなる。
【００１７】
（９）上記（６）から（８）項において、互いに嵌合して相対移動を規制する凹凸形状からなる係止部を構成する、前記金属フレームの前記側壁部及び前記樹脂フレームの前記凸部と共に、又はこれらに換えて、前記金属フレームの前記側壁部から内側へ突出する突出部と、該突出部に対応する位置において、前記樹脂フレームの厚み方向の一部範囲のみ凹ませる態様で形成された凹部とを備える面状照明装置。
本項に記載の面状照明装置は、金属フレームの側壁部から内側へ突出する突出部と、該突出部に対応する位置において、前記樹脂フレームの厚み方向の一部範囲のみ凹ませる態様で形成された凹部とが嵌合することによっても、樹脂フレームに対する金属フレームの、厚み方向（脱落方向）への相対移動を規制するものである。
【００１８】
（１０）上記（１）から（９）項において、前記金属フレームの床部は、前記側壁部の、前記樹脂フレームの厚み方向の端部から、前記樹脂フレームの前記内側領域に張り出すように形成されている面状照明装置（請求項６）。
本項に記載の面状照明装置は、金属フレームの床部は、側壁部の、樹脂フレームの厚み方向の端部から、樹脂フレームの内側領域に張り出すように形成されていることで、金属フレームの側壁部と前記床部とが連続し、かつ、両者の境界が稜線となる。そして、この稜線に沿って、金属フレームの、少なくとも床部に開口する長穴と、少なくとも側壁部に開口する長穴とが形成されるものである。
【発明の効果】
【００１９】
本発明はこのように構成したので、更なる薄型化や軽量化を促進しつつ、必要な強度を確保した面状照明装置を提供することが可能となる。
【図面の簡単な説明】
【００２０】
【図１】本発明の実施の形態に係る面状照明装置を示すものであり、（ａ）は縦断面図、（ｂ）は面状照明装置を発光面とは反対側の面（裏面）から見た斜視図である。
【図２】（ａ）は、図１（ｂ）のＢ部を示す拡大図であり、（ｂ）は（ａ）のＣ部拡大図である。
【図３】（ａ）は、図２（ｂ）のＤ−Ｄ断面図、（ｂ）は図２（ｂ）のＥ−Ｅ断面図、（ｃ）は（ｂ）と同一部分の応用例を示す断面図である。
【発明を実施するための形態】
【００２１】
以下、本発明の実施の形態を図面に基づいて説明する。なお、従来技術と同一部分若しくは相当する部分については、適宜同一の符号を付して、詳しい説明を省略する。
なお、本説明では、面状照明装置の発光面（主面）を平面視した状態における、面状照明装置の中心方向を「内側」と、当該中心から見た面状照明装置の外形方向を「外側」という。
【００２２】
図１に示される、本発明の実施の形態に係る面状照明装置１０は、図１（ａ）に示されるように、対向する一対の主面１２ａ、１２ｂのうちの、一方の主面１２ａ（表面）を光の出射面とする導光板１２と、導光板の入光面１２ｃに対向して配置される点状光源としてのＬＥＤ１４と、これらの構成要素を収納するためのハウジングフレーム１６とを含むものである。ここで、導光板１２はポリカーボネート樹脂等の透明樹脂材料を成形してなるものである。ＬＥＤ１４は、例えば、青色発光ＬＥＤチップを、硬質シリコーン系樹脂中に黄色発光の蛍光体であるセリウムで付活されたイットリウム・アルミニウム・ガーネット（ＹＡＧ）微粒子を混入した透光性樹脂で封止した構造の白色ＬＥＤが用いられる。ハウジングフレーム１６は、追って詳述するように、合成樹脂からなり導光板１２を囲む枠状の樹脂フレーム１８と、樹脂フレーム１８の外側に配置される金属フレーム２０とを有している。金属フレーム１６には、例えば、剛性と光の反射率が大きい、例えばステンレス製の板金フレームが用いられるが、同等の特性が得られるものである限り、板金フレームに限定されるものではない。
【００２３】
更に、導光板１２の出射面１２ａ側には、光学シート２２が配置されている。図示の例では、光学シート２２は、各々適切な光学特性を備える三枚のシートが積層されている。又、導光板１２は、入光面１２ｃに対して、対向する主面１２ａ、１２ｂ間の厚みが、少なくとも光学シート２２の厚みの分だけ薄く形成されている。更に、導光板１２の裏面１２ｂ側には反射シート２４が配置され、導光板１２の出射面１２ａには光学シート２２の外周を保持するように枠状の遮光シート２８が配置されている。
そして、枠状の樹脂フレーム１８の、ＬＥＤ１４が配置される一つの側辺部１８ａと、この側辺部１８ａに対向する側辺部１８ｄとには、反射シート２０の位置決めを行うための段部１８ａ１、１８ｄ１、及び、遮光シート２８の位置決めを行うための段部１８ａ２、１８ｄ２が形成されている。更に、一つの側辺部１８ａには、ＬＥＤ１４が実装されたＦＰＣ２６を位置決めするための段部１８ａ３が形成されている。
【００２４】
一方、金属フレーム２０は、樹脂フレーム１８の、一つの側辺部１８ａの外側面を覆う側壁部２０ａと、一つの側辺部１８ａの底側端部から導光板が配置される内側領域に至る範囲を覆う床部２０ｂとが含まれるものである。図１に示される例では、金属フレーム２０の側壁部２０ａの、樹脂フレーム１８の厚み方向下側の端部から、樹脂フレーム１８の内側領域に直角に張り出すようにして、床部２０ｂが延設されている。換言すれば、金属フレーム２０の床部２０ｂが、側壁部２０ａの、樹脂フレーム１８の厚み方向の端部から、樹脂フレーム１８の内側領域に張り出すように形成されていることで、金属フレーム２０の側壁部２０ａと床部２０ｂとが連続している。そして、金属フレーム２０の側壁部２０ａと床部２０ｂとの境界が、図３に示されるように、稜線２０ｅとして構成されている。この稜線２０ｅに沿って、後述する第１係止部３２と、第２係止部３４との構成要素である、金属フレーム２０の、少なくとも床部２０ｂに開口する長穴２０ｆと、少なくとも側壁部２０ａに開口する長穴２０ｇとが形成されるものである。
更に、樹脂フレーム１８の一つの側辺部１８ａと交差する側辺部１８ｂ、１８ｃに沿って、側辺部１８ｂ、１８ｃの外側面を覆う側壁部２０ｃ、２０ｄが、側壁部２０ａ及び床部２０ｂと連続するように、金属フレーム２０は絞り成形されている。
【００２５】
樹脂フレーム１８及び金属フレーム２０の各々には、互いに嵌合して相対移動を規制する凹凸形状からなる係止部３０が、図１（ｂ）に示される位置に構成されている。この係止部３０には、図２に示される、樹脂フレーム１８の一つの側辺部１８ａと交差する側辺部１８ｂ、１８ｃの延長方向（図１（ａ）の左右方向）の相対移動を規制する第１係止部３２と、樹脂フレームの厚み方向（図１（ａ）の上下方向）の相対移動を規制する第２係止部３４とが含まれるものである。
【００２６】
図３（ａ）に示されるように、第１係止部３２は、金属フレーム２０の側壁部２０ａと床部２０ｂとの境界をなす稜線２０ｅに沿って、かつ、図示の例では側壁部２０ａ及び床部２０ｂに跨って開口し、樹脂フレーム１８の一つの側辺部１８ａの長手方向に延びる、嵌合穴としての長穴２０ｆと、樹脂フレーム１８から金属フレーム２０の床部２０ｂの厚み方向に突出する凸部１８ｅとで構成されている。
又、第２係止部３４は、図３（ｂ）に示されるように、金属フレーム２０の側壁部２０ａと床部２０ｂとの境界をなす稜線２０ｅに沿って、かつ、図示の例では側壁部２０ａ及び床部２０ｂに跨って開口し、樹脂フレーム１８の一つの側辺部１８ａの長手方向に延びる、嵌合穴としての長穴２０ｇと、樹脂フレーム１８から金属フレーム２０の側壁部２０ａの厚み方向に突出する凸部１８ｆとで構成されている。
【００２７】
そして、第１係止部３２及び第２係止部３４を含む係止部３０は、図２（ａ）に示されるように、樹脂フレーム１８の一つの側辺部１８ａの長手方向（図２（ａ）の左右方向）の両端近傍領域（符号Ｃで示される）に、図２（ｂ）に拡大図示されたように、第１係止部３２に対し第２係止部３４が、一つの側辺部１８ａの長手方向の内側（図２（ｂ）の右方向）となる位置関係で、配置されている。
更に、本実施の形態では、図２（ａ）に示されるように、樹脂フレーム１８の一つの側辺部１８ａの長手方向中央領域にも、係止部３０が、第１係止部３２を挟むようにして第２係止部３４が位置する態様で、配置されている。
【００２８】
なお、図３（ｂ）に示される例では、金属フレーム２０の側壁部２０ａから内側へ突出する突出部２０ｈと、突出部２０ｈに対応する位置において、樹脂フレーム１８の厚み方向の一部範囲のみ凹ませる態様で形成された凹部１８ｇとが、設けられている。そして、樹脂フレーム１８の凹部１８ｇに突出部２０ｈが嵌合するものである。なお、金属フレーム２０の突出部２０ｈについても、側壁部２０ａを絞り加工することによって成形されるものである。
【００２９】
更には、図３（ｃ）に示されるように、第１係止部３２および第２係止部３４の一方又は双方に、金属フレーム２０の側壁部２０ａと床部２０ｂとの境界をなす稜線２０ｅに沿って開口する長穴２０ｆ、２０ｇと、樹脂フレーム１８から金属フレーム２０の床部２０ｂの厚み方向に突出する凸部１８ｅと、樹脂フレーム１８から金属フレーム２０の側壁部２０ａの厚み方向に突出する凸部１８ｆとが設けられていることとしても良い。
【００３０】
さて、上記構成をなす本発明の実施の形態によれば、次のような作用効果を得ることが可能となる。
本発明の実施の形態に係る面状照明装置１０は、ハウジングフレーム１６によって、導光板１２とＬＥＤ１４とを一体に保持すると共に、面状照明装置１０自体の剛性を向上させるものである。しかも、ハウジングフレーム１６は、導光板１２を囲む枠状の樹脂フレーム１８と、樹脂フレーム１８の外側に配置される金属フレーム２０とを有し、樹脂フレーム１８によって、導光板１２、点状光源１４、光学シート２２、反射シート２４、ＦＰＣ２６その他の、面状照明装置１０の構成要素を位置決めすると共に、面状照明装置１０の剛性を確保するものである。又、金属フレーム２０には、樹脂フレーム１８の、一つの側辺部１８ａの外側面を覆う側壁部２０ａと、一つの側辺部１８ａの底側端部から導光板１２が配置される内側領域に至る範囲を覆う床部２０ｂとが含まれ、これら側壁部２０ａ及び床部２０ｂによって、面状照明装置１０の更なる剛性の向上を図ることが可能となる。
【００３１】
この金属フレーム２０は、側壁部２０ａと床部２０ｂとによって、樹脂フレーム１８の、一つの側辺部１８ａの外側面と、外側面に続く導光板１２の主面１２ａ、１２ｂと平行な面との、少なくとも二面を覆うものであれば良いことから、金属フレーム２０を用いることに起因する、面状照明装置１０全体の厚みや重量の増加を、可能な限り抑えることが可能となる。そして、樹脂フレーム１８の一つの側辺部１８ａと交差する側辺部１８ｂ、１８ｃの延長方向、及び、樹脂フレーム１８の厚み方向といった、交差する２方向について、樹脂フレーム１８及び金属フレーム２０の相対移動を規制するものである。なお、樹脂フレーム１８の一つの側辺部１８ａとして、導光板１２の側方にＬＥＤ１４が配置される面に係る側辺部を選択することにより、ＬＥＤ１４の位置決めを、より確実にする上でも効果的である。
【００３２】
しかも、樹脂フレーム１８及び金属フレーム２０の各々に、互いに嵌合して相対移動を規制する凹凸形状からなる係止部３０が構成されており、係止部３０には、樹脂フレーム１８の一つの側辺部１８ａと交差する側辺部１８ｂ、１８ｃの延長方向の相対移動を規制する第１係止部３２と、樹脂フレーム１８の厚み方向の相対移動を規制する第２係止部３４とが含まれることで、樹脂フレーム１８と金属フレーム２０との固定が、確実になされるものである。
ここで、第１係止部３２は、第１規制部３２を構成する凹凸形状、即ち、図３（ａ）に示されるように、樹脂フレーム１８に形成された凸部１８ｅと、この突起形状が嵌合する嵌合穴２０ｆとが、樹脂フレーム１８の一つの側辺部１８ａと交差する側辺部１８ｂ、１８ｃの延長方向に嵌合する態様で構成されることで、導光板１２の面方向の相対移動を規制することができる。他方、第２規制部３４は、第２規制部３４を構成する凹凸形状、即ち、図３（ｂ）に示されるように、樹脂フレームに形成された凸部１８ｆと、この突起形状が嵌合する嵌合穴２０ｇとが、樹脂フレーム１８の厚み方向に嵌合する態様で構成されることで、樹脂フレーム１８の厚み方向の相対移動を規制することができる。
【００３３】
又、本発明の実施の形態に係る面状照明装置１０は、図２に示されるように、樹脂フレーム１８の一つの側辺部１８ａの長手方向両端近傍領域に、係止部３０が配置されることで、係止部３０による、樹脂フレーム１８と金属フレーム２０との位置決めを効果的にするものである。
特に、樹脂フレーム１８と金属フレーム２０との、樹脂フレーム１８の厚み方向の相対移動を規制する第２規制部３４を、導光板１２の面方向の相対移動、即ち、樹脂フレーム１８の一つの側辺部１８ａと交差する側辺部１８ｂ、１８ｃの延長方向の相対移動を規制する第１規制部３２よりも、樹脂フレーム１８の一つの側辺部１８ａの長手方向の内側に配置したことにより、以下の理由により、樹脂フレームからの板金フレームの脱落防止効果を、より確実にすることができる。特に、面状照明装置１０を液晶パネルに組み付ける作業中における外れを、効果的に防止して、面状照明装置１０を用いた表示装置の組立作業性や、液晶パネルに対する組付作業性が向上するものとなる。
【００３４】
さて、仮に、図２に示される本発明の実施の形態とは逆に、第１規制部３２を、第２規制部３４に対して、樹脂フレーム１８の一つの側辺部１８ａの長手方向の内側に配置した場合には、第１規制部３２を構成する凹凸形状の係合が外れ易く、面方向の移動規制ができなくなる。これは、金属フレーム２０に対して樹脂フレーム１８の剛性が小さいがために、樹脂フレーム１８の一つの側辺部１８ａが中央部を中心として撓み易いこと（または反り易いこと）によるものである。特に、撓み易い方向が、面方向ではなく厚み方向であること、および、第１規制部３２を構成する凸部１８ｅと長穴２０ｆとが、上述の如く、樹脂フレーム１８の一つの側辺部１８ａと交差する側辺部１８ｂ、１８ｃの延長方向に嵌合していることから生じるものである。
樹脂フレーム１８の一つの側辺部１８ａの撓み易い方向が厚み方向である理由は、樹脂フレーム１８の側辺部１８ａは、面方向には、剛性の大きい金属フレーム２０の側壁部２０ａ、好ましくはそれに加えてＬＥＤ１４といった剛性の大きい部材にも挟まれることで撓み難くなっている。これに対して、厚み方向には剛性の大きい部材が配置されないことから、それらの部材の剛性を利用した撓み抑制効果が発揮されず、樹脂フレーム１８が撓み易くなるためである。
【００３５】
上記の撓み要因を考慮し、本発明の実施の形態では、樹脂フレーム１８の厚み方向の相対移動を規制する第２規制部３４を、樹脂フレーム１８に保持される導光板１２の面方向の相対移動を規制する第１規制部３２よりも長手方向の内側に配置し、換言すれば、面方向の相対移動を規制する第１規制部３２を、厚み方向の相対移動を規制する第２規制部３４の外側に配置している。このため、樹脂フレーム１８と金属フレーム２０とは、内側に配置された第２規制部３４により、厚み方向の相対移動が規制されて、面方向の移動を規制する第１規制部３２を構成する凸部１８ｅが長穴２０ｆから外れ難くなる。そして、面方向の移動を規制する第１規制部３２が有効に働き、樹脂フレーム１８から金属フレーム２０が外れることが抑制されることとなる。
【００３６】
又、本発明の実施の形態に係る面状照明装置１０は、図２（ａ）に示されるように、樹脂フレーム１８の一つの側辺部１８ａの長手方向中央領域にも、係止部３０が配置されることで、係止部３０による、樹脂フレーム１８と金属フレーム２０との位置決め効果を得ることができる。特に、樹脂フレーム１８の一つの側辺部１８ａの長さが長くなるほど、長手方向中央領域における、係止部３０による、樹脂フレーム１８と金属フレーム２０との位置決め機能が、有効に発揮されるものである。従って、必要に応じて、樹脂フレーム１８の一つの側辺部１８ａの長手方向の中央に、係止部３０を設けることとしても良く、必要に応じて、長手方向中央領域の複数箇所に、係止部３０を設けることとしても良く、この場合には夫々の係止部３０において、上記作用効果が得られるものとなる。
【００３７】
又、樹脂フレーム１８の一つの側辺部１８ａの長手方向中央領域に設けられた係止部３０は、第１係止部３２を挟むようにして第２係止部３４が位置する態様で配置されていることで、第１係止部３２の両側に配置された第２規制部３４により、第１係止部３２が設置された位置における厚み方向の相対移動が規制される。その結果、面方向の移動を規制する第１規制部３２を構成する凸部１８ｅが長穴２０ｆから外れ難くなる。そして、面方向の移動を規制する第１規制部３２が有効に働き、樹脂フレーム１８の一つの側辺部１８ａの長手方向中央領域（樹脂フレーム１８の一つの側辺部１８ａの長手方向両端近傍以外の領域）においても、樹脂フレーム１８から金属フレーム２０が外れることが、抑制されることとなる。
【００３８】
又、本発明の実施の形態に係る面状照明装置１０は、図３（ａ）に示されるように、第１係止部３２を構成する凹凸形状に、金属フレーム２０の側壁部２０ａと床部２０ｂとの境界に沿って、少なくとも床部に開口する長穴２０ｆと、樹脂フレーム１８から金属フレーム２０の床部２０ｂの厚み方向に突出する凸部１８ｅとが含まれ、金属フレーム２０の床部２０ｂの長穴２０ｆに対して、樹脂フレーム１８の凸部１８ｅが床部２０ｂの厚み方向に突出して嵌合することで、樹脂フレーム１８と金属フレーム２０との、面方向の相対移動を規制するものである。
【００３９】
より具体的には、金属フレーム２０には、側壁部２０ａと床部２０ｂとの境界をなす稜線２０ｅに沿って、少なくとも床部２０ｂに開口する長穴２０ｆが形成されることで、床部２０ｂの一部に、側壁部２０ａの外側（図３（ａ）の左側）を向く端面が形成される。この、側壁部２０ａの外側を向く端面が、床部２０ｂの厚み方向に突出する樹脂フレーム１８の凸部１８ｅに接触するようにして嵌合することで、樹脂フレーム１８に対する金属フレーム２０の面方向（脱落方向）への移動を規制するものとなる。
なお、金属フレーム２０や、これを成形する金型等の設計上の要請等により、図３（ａ）に示されるように、金属フレーム２０の、床部２０ｂに開口する長穴２０ｆは、側壁部２０ａと床部２０ｂとの境界２０ｅに跨って、すなわち、側壁部２０ａにも広がる態様で形成されていても、上記作用効果を奏するものである。
【００４０】
又、本発明の実施の形態に係る面状照明装置１０は、図３（ｂ）に示されるように第２係止部３４を構成する凹凸形状に、金属フレーム２０の側壁部２０ａと床部２０ｂとの境界２０ｅに沿って、少なくとも側壁部２０ａに開口する長穴２０ｇが形成されることで、側壁部２０ａの一部に、床部２０ｂの外側（図３（ｂ）の上側）を向く端面が形成される。この床部２０ｂの外側を向く端面が、側壁部２０ａの厚み方向に突出する樹脂フレーム１８の凸部１８ｆに接触するようにして嵌合する、すなわち、金属フレーム２０の側壁部２０ａの長穴２０ｇに対して、樹脂フレーム１８の凸部１８ｆが側壁部２０ａの厚み方向に突出して嵌合することで、樹脂フレーム１８に対する金属フレーム２０の、厚み方向（脱落方向）への相対移動を規制するものとなる。
なお、金属フレーム２０や、これを成形する金型等の設計上の要請等により、図３（ｂ）に示されるように、金属フレーム２０の、側壁部２０ａに開口する長穴２０ｇは、側壁部２０ａと床部２０ｂとの境界２０ｅに跨って、すなわち、床部２０ｂにも広がる態様で形成されていても、上記作用効果を奏するものである。
【００４１】
又、図３（ｃ）に示されるように、第１係止部３２および第２係止部３４の一方又は双方に、樹脂フレーム１８から金属フレーム２０の床部２０ｂの厚み方向に突出する凸部１８ｅと、樹脂フレーム１８から金属フレーム２０の側壁部２０ａの厚み方向に突出する凸部１８ｆとが含まれることとしても良い。この場合、第１係止部３２および第２係止部３４の一方又は双方により、樹脂フレーム１８に対する金属フレーム２０の、面方向及び厚み方向の双方への相対移動を規制することが可能となる。
【００４２】
又、図３（ｂ）（ｃ）に示されるように、金属フレーム２０の側壁部２０ａから内側へ突出する突出部２０ｈと、突出部２０ｈに対応する位置において、樹脂フレーム１８の厚み方向の一部範囲のみ凹ませる態様で形成された凹部１８ｇとが嵌合することによっても、樹脂フレーム１８に対する金属フレーム２０の、厚み方向（脱落方向）への相対移動を規制することが可能となる。
なお、この場合には、金属フレーム２０の側壁部２０ａの長穴２０ｇと嵌合する樹脂１８フレームの凸部１８ｆの突き出し量を、適宜無くす（凸部１８ｆを無くす）ことも可能となる。
【符号の説明】
【００４３】
１０ 面状照明装置、１２ 導光板、１２ａ：出射面、１２ｂ：出射面と対向する主面、１２ｃ：入光面、１４：ＬＥＤ、１６：ハウジングフレーム、１８：樹脂フレーム、１８ａ：一つの側辺部、  １８ｂ、１８ｃ：一つの側辺部と交差する側辺部、  １８ｅ、１８ｆ：凸部、２０：金属フレーム、２０ａ：側壁部、２０ｂ：床部、  ２０ｃ、２０ｄ：側壁部、２０ｅ：稜線、  ２０ｆ、２０ｇ：長穴、３０：係止部、３２：第１係止部、３４：第２係止部
【図１】
2015018700.tif 000003
【図２】
2015018700.tif 000004
【図３】
2015018700.tif 000005